(57)【要約】      （修正有）【課題】軸接地アセンブリの動作を監視するように構成された軸接地システムを提供する。【解決手段】軸接地システムは軸接地アセンブリ４００を含んでいる。軸接地アセンブリを第１の部分１４０と第２の部分１６０とに分ける絶縁層１２０が、軸接地アセンブリ内に配置されていてよい。第１の部分１４０は第１の回路５４０を含んでおり、この第１の回路５４０は高いインピーダンスを有しており、軸の実質的に全ての電流が、第２の部分１６０を通って流れる。分割された軸接地アセンブリを有している軸接地システムは、第１の回路５４０の高いインピーダンスによって、正確な軸電圧測定を提供する。軸接地システムのコストは極めて低く、既存の軸接地取付けコンポーネントを用いて設置し、かつ、軸接地システムに対する状態ベースのメンテナンスを可能にする。【選択図】図４
2018014882.tif 000002
【特許請求の範囲】
【請求項１】
軸接地装置（１００）であって、当該軸接地装置（１００）は、
軸（１１０）と接触するように構成されている軸接地アセンブリ（３００，４００）と、
前記軸接地アセンブリ（３００，４００）内に配置されており、当該軸接地アセンブリ（３００，４００）を第１の部分（１４０）と第２の部分（１６０）とに分ける絶縁層（１２０）と、
前記第１の部分（１４０）に接続されている第１のケーブル（２４０）と、
前記第１のケーブル（２４０）に接続されている第１の回路（５４０）と、
前記軸（１１０）の電流を地面に流すように構成されている、前記第２の部分（１６０）に接続されている第２のケーブル（２６０）とを含んでおり、
前記第１の回路（５４０）は、前記軸接地アセンブリ（１４０，１６０）の動作を監視するために、前記第１の部分（１４０）の信号を測定するように構成されており、当該第１の回路（５４０）は、前記軸（１１０）の電流が、前記第２の部分（１６０）を通って流れるようなインピーダンスを有している、
ことを特徴とする軸接地装置（１００）。
【請求項２】
測定された前記信号は、前記第１の部分（１４０）の電圧または前記第１の部分（１４０）を通って流れる電流を含んでいる、請求項１記載の装置（１００）。
【請求項３】
前記第１の部分（１４０）の前記測定された信号が所定の範囲にない場合に、警告信号が形成される、請求項１記載の装置（１００）。
【請求項４】
前記軸接地アセンブリは、ブラシ軸接地アセンブリ（３００）を含んでいる、請求項１記載の装置（１００）。
【請求項５】
前記ブラシ軸接地アセンブリ（３００）は、前記軸（１１０）と接触しているブラシ（３４０）を含んでおり、前記絶縁層（１２０）は前記ブラシ（３４０）内に設計されている、請求項４記載の装置（１００）。
【請求項６】
前記軸接地アセンブリは、ブレード軸接地アセンブリ（４００）を含んでいる、請求項１記載の装置（１００）。
【請求項７】
前記ブレード軸接地アセンブリ（４００）は、ブレードサポート（４２０）と、前記軸（１１０）と接触している複数のブレード（４４０）とを含んでおり、
前記絶縁層（１２０）は、前記ブレードサポート（４２０）と前記ブレード（４４０）のうちの１つとの間に設計されている、請求項６記載の装置（１００）。
【請求項８】
軸接地システム（６００）であって、当該軸接地システム（６００）は、
軸（１１０）と接触するように構成されている軸接地アセンブリ（３００，４００）と、
前記軸接地アセンブリ（３００，４００）内に配置されており、前記軸接地アセンブリ（３００，４００）を第１の部分（１４０）と第２の部分（１６０）とに分ける絶縁層（１２０）と、
前記第１の部分（１４０）に接続されている第１のケーブル（２４０）と、
前記第１の部分（１４０）の信号を測定するように構成されている、前記第１のケーブル（２４０）に接続されている第１の回路（５４０）と、
前記第２の部分（１６０）に接続されている第２のケーブル（２６０）と、
前記第２の部分（１６０）の信号を測定するように構成されている、前記第２のケーブル（２６０）に接続されている第２の回路（５６０）と、
前記第１の回路（５４０）および前記第２の回路（５６０）に接続されているパネル（６２０）とを含んでおり、
前記第１の回路（５４０）は、前記軸（１１０）の電流が、前記第２の部分（１６０）を通って流れるようなインピーダンスを有しており、
前記パネル（６２０）は、前記第１の部分（１４０）の測定された前記信号と前記第２の部分（１６０）の測定された前記信号とに基づいて、前記軸接地アセンブリ（３００，４００）の動作を監視するように構成されている、
ことを特徴とする軸接地システム（６００）。
【請求項９】
前記第１の部分（１４０）の前記測定された信号、または、前記第２の部分（１６０）の前記測定された信号、または、前記第１の部分（１４０）の前記測定された信号と前記第２の部分（１６０）の前記測定された信号との間の差が所定の範囲にない場合に、警告信号が形成される、請求項８記載のシステム（６００）。
【請求項１０】
軸（１１０）を接地する方法であって、
第１の回路（５４０）によって、軸（１１０）と接触する軸接地アセンブリ（３００，４００）の第１の部分（１４０）の信号を測定することを含んでおり、
前記軸接地アセンブリ（３００，４００）は絶縁層（１２０）を含んでおり、当該絶縁層（１２０）は、前記軸接地アセンブリ（３００，４００）を前記第１の部分（１４０）と第２の部分（１６０）とに分け、
前記第１の回路（５４０）は、第１のケーブル（２４０）を介して前記第１の部分（１４０）に接続されており、
前記第１の回路（５４０）は、前記軸（１１０）の電流が、前記第２の部分（１６０）を通って流れるようなインピーダンスを有しており、
軸（１１０）を接地する方法はさらに、前記軸（１１０）の電流を、前記第２の部分（１６０）に接続されている第２のケーブル（２６０）を介して地面に流すことを含んでいる、
ことを特徴とする、軸（１１０）を接地する方法。
【発明の詳細な説明】
【技術分野】
【０００１】
本発明は一般的に、軸接地システムおよび軸を接地する方法に関する。
【０００２】
関連技術の説明
電力生成装置、例えば、タービン発電機は、機械的な力を電流に変える。電気的ポテンシャルは、タービン発電機において、または、モーター軸において、電力生成動作の間、構築されてよい。タービン発電機またはモーター軸上で構築された電気的ポテンシャルの接地は、ベアリングへの主要な損傷、および、結果として生じる損傷を回避するために、極めて重要である。軸接地システムは、このような目的のために使用されてよい。
【０００３】
軸接地システムは、ブラシアセンブリ、例えばカーボンブラシまたは胴ブレードを、回転軸を接地するために使用することがある。汚れ、または、油によって、半導電性フィルム層がブラシアセンブリと回転軸との間に形成されてしまうことがある。このような接地システムは、この層を補償することはできない、または、ブラシアセンブリおよび回転軸をクリーニングするためにメンテナンスが必要な場合に、操作員に警告することができない。
【０００４】
このような問題を解決するための解決策は、所定の間隔で軸接地システムでのメンテナンスを行うための適切なメンテナンススケジュールに基づいていてよい。この解決策は、グレイジングまたは汚れの集積に向けられていることがある。しかし、この解決策は、迅速に故障を生じさせ得る他の機器問題に向けられていないことがある。さらに、メンテナンス間隔の判断が間違っている、または、メンテナンス間隔が飛ばされた場合、タービン、発電機またはモーターを損傷させ得るレベルまで、軸接地システムが崩壊してしまうことがある。メンテナンスを必要以上に多く実施してしまう虞もある。これによって、プラント動作に、不要なコストが計上されてしまう。
【０００５】
このような問題を解決する他の解決策は、アクティブな軸接地システムまたはオンライン監視システムを設置することであってよい。しかしこの種のシステムは、付加的な、専用ブラシアセンブリおよび測定点を必要とすることがある。このようなシステムのコストは高い。この種のシステムの設置は、容易ではない。
【０００６】
本発明の要約
要約すると、本発明の態様は、軸接地システムおよび軸を接地する方法に関し、特に、軸接地システムおよびタービン発電機軸を接地する方法に関する。
【０００７】
ある態様では、軸接地装置が提示される。軸接地装置は、軸に取付けられている軸接地アセンブリを含んでいる。この軸接地装置は、軸接地アセンブリ内に配置されている絶縁層を含んでいる。これは、軸接地アセンブリを第１の部分と第２の部分とに分ける。軸接地装置は、この第１の部分に接続されている第１のケーブルを含んでいる。この軸接地装置は、第１のケーブルに接続されている第１の回路を含んでいる。これは、軸接地アセンブリの動作を監視するために、第１の部分の信号を測定するように構成されている。第１の回路は、軸の電流が第２の部分を通って流れるようなインピーダンスを有していてよい。この軸接地装置は、軸の電流を地面に流すように構成されている第２の部分に接続されている、第２のケーブルを含んでいる。
【０００８】
ある態様では、軸接地システムが提示される。この軸接地システムは、軸に取付けられている軸接地アセンブリを含んでいる。この軸接地システムは、軸接地アセンブリ内に配置されている絶縁層を含んでいる。これは、軸接地アセンブリを第１の部分と第２の部分とに分ける。軸接地システムは、この第１の部分に接続されている第１のケーブルを含んでいる。この軸接地システムは、第１のケーブルに接続されている第１の回路を含んでいる。これは、第１の部分の信号を測定するように構成されている。第１の回路は、軸の電流が第２の部分を通って流れるようなインピーダンスを有していてよい。この軸接地システムは、第２の部分に接続されている第２のケーブルを含んでいる。軸接地システムは、第２のケーブルに接続されている第２の回路を含んでいる。これは、第２の部分の信号を測定するように構成されている。軸接地システムは、第１の回路および第２の回路に接続されているパネルを含んでいる。これは、第１の部分および第２の部分の測定された信号に基づいて、軸接地アセンブリの動作を監視するように構成されている。
【０００９】
ある態様では、軸を接地する方法が提示される。この方法は、第１の回路によって軸に取付けられている軸接地アセンブリの第１の部分の信号を測定することを含んでいる。軸接地アセンブリは、絶縁層を含んでいる。これは、軸接地アセンブリを第１の部分と第２の部分とに分ける。第１の回路は、第１のケーブルを介して第１の部分に接続されていてよい。第１の回路は、軸の電流が第２の部分を通って流れるようなインピーダンスを有していてよい。この方法は、第２の部分に接続されている第２のケーブルを介して、地面に軸の電流を流すことを含んでいる。
【００１０】
上述した、および、後述する適用の、種々の態様および実施形態は、明示された組み合わせにおいて使用されるだけでなく、他の組み合わせで使用されてもよい。当業者は、本明細書を読み、理解することで、修正を行うことができるだろう。
【００１１】
適用の実施例を以下で詳細に、添付図面に関して説明する。
【図面の簡単な説明】
【００１２】
【図１】ブラシ軸接地アセンブリを含んでいる、ある実施形態に即した軸接地装置の概略図
【図２】ブレード軸接地アセンブリを含んでいる、ある実施形態に即した軸接地装置の概略図
【図３】ある実施形態に即した、ブラシ軸接地アセンブリの概略図
【図４】ある実施形態に即した、ブレード軸接地アセンブリの概略図
【図５】ブラシ軸接地アセンブリを含んでいる、ある実施形態に即した軸接地システムの概略図
【図６】ブレード軸接地アセンブリを含んでいる、ある実施形態に即した軸接地システムの概略図
【００１３】
理解しやすくするために、同一の参照番号が使用されており、ここでは、各図面に共通の、同一の要素を指すことがある。
【００１４】
発明の詳細な説明
本発明の態様に関連した詳細な説明を以降で、添付図面に関連して記載する。
【００１５】
図１は、ある実施形態に従った、軸接地装置１００を示している。この軸接地装置１００は、軸接地アセンブリ３００を含んでいる。図１の実施例では、軸接地アセンブリ１００は、ブラシ軸接地アセンブリ３００を含んでいてよい。このブラシ軸接地アセンブリ３００は、ブラシ３４０を保持するブラシホルダー３２０を含んでいてよい。ブラシ３４０は、軸１１０と接触していてよい。ブラシ３４０は、軸１１０の電流を、地面に搬送してよい。この軸接地装置１００は、絶縁層１２０を含んでいてよい。絶縁層１２０は、ブラシ３４０内に設計されていてよい。絶縁層１２０は、軸接地アセンブリ３００を２つの部分に分けてよい。分割されたブラシ軸接地アセンブリ３００の詳細は、図３に示されている。
【００１６】
図１の実施例では、ブラシ軸接地アセンブリ３００は、軸１１０と接触している１つのブラシ３４０を含んでいる。ある実施形態では、ブラシ軸接地アセンブリ３００は、軸１１０と接触している複数のブラシ３４０を含んでいてよい。絶縁層１２０が、少なくとも１つのブラシ３４０内に設計されていてよい。
【００１７】
ある実施形態では、ブラシ軸接地アセンブリ３００は、カーボンブラシ軸アセンブリ３００を含んでいてよい。カーボンブラシ軸アセンブリ３００は、軸１１０と接触するカーボンブラシ３４０を含んでいてよい。軸１１０は、タービン発電機軸またはモーター軸を含んでいてよい。
【００１８】
図２は、ある実施形態に即した軸接地装置１００を示している。この図では、アセンブリクリップが、取付けピンに取付けされていないことに留意されたい。軸接地装置１００は、軸接地アセンブリ４００を含んでいる。図２の実施例では、軸接地アセンブリ４００は、ブレード軸接地アセンブリ４００を含んでいてよい。ブレード軸接地アセンブリ４００は、複数のブレード４４０を支持するブレードサポート４２０を含んでいてよい。ブレード４４０は、軸１１０と接触していてよい。ブレード４４０は、軸１１０の電流を地面に流してよい。軸接地装置１００は、絶縁層１２０を含んでいてよい。絶縁層１２０は、ブレードサポート４２０と、ブレード４４０のうちの１つとの間に設計されていてよい。絶縁層１２０は、ブレード軸接地アセンブリ４００を２つの部分に分けてよい。分割されたブレード軸接地アセンブリ４００の詳細は、図４に示されている。
【００１９】
図２の、実施例では、ブレード軸接地アセンブリ４００は、軸１１０と接触している２つのブレード４４０を支持するブレードサポート４２０を含んでいる。ある実施形態では、ブレード軸接地システム４００は、軸１１０と接触している、２つよりも多くのブレード４４０を支持するブレードサポート４２０を含んでいてよい。絶縁層１２０が、ブレードサポート４２０と、ブレード４４０の少なくとも１つとの間に設計されていてよい。
【００２０】
ある実施形態では、ブレード軸接地アセンブリ１００は、銅ブレード軸アセンブリ４００を含んでいてよい。銅ブレード軸アセンブリ４００は、軸１１０と接触している複数の銅ブレード４４０を含んでいてよい。
【００２１】
図３は、ある実施形態に即したブラシ軸接地アセンブリ３００の概略図を示している。ブラシ軸接地アセンブリ３００は、軸１１０（図３には示されていない）と接触しているブラシ３４０を含んでいてよい。絶縁層１２０は、ブラシ３４０内に設計されていてよい。絶縁層１２０は、ブラシ軸接地アセンブリ３００を２つの部分、すなわち第１の部分１４０と第２の部分１６０とに分けてよい。第１のケーブル２４０は、第１の部分１４０に接続されていてよい。第１の回路５４０は、第１のケーブル２４０に接続されていてよい。第１の回路５４０は、第１の部分１４０の信号を測定してよい。ある実施形態では、第１の回路５４０のインピーダンスは高く、軸１１０の実質的に全ての電流が、第２の部分１６０を通って流れてよい。第２のケーブル２６０が、第２の部分１６０に接続されていてよい。第２のケーブル２６０は、軸１１０の実質的に全ての電流を地面に流してよい。ある実施形態では、第１の回路５４０によって測定された、第１の部分１４０の信号は、第１の部分１４０の電圧または第１の部分１４０を通って流れる電流を含んでいてよい。
【００２２】
図４は、ある実施形態に即したブレード軸接地アセンブリ４００の概略図を示している。ブレード軸接地アセンブリ４００は、軸１１０（図４には示されていない）と接触している複数のブレード４４０を含んでいてよい。ブレード軸接地アセンブリ４００は、ブレード４４０を支持するブレードサポート４２０を含んでいてよい。図４の実施例では、ブレードサポート４２０は、Ｖ字状のサポート４２０であってよい。絶縁層１２０が、ブレードサポート４２０とブレード４４０のうちの１つとの間に設計されていてよい。絶縁層１２０は、ブレード軸接地アセンブリ４００を２つの部分、すなわち第１の部分１４０と第２の部分１６０とに分けてよい。第１のケーブル２４０が、第１の部分１４０に接続されていてよい。第１の回路５４０が、第１のケーブル２４０に接続されていてよい。第１の回路５４０は、第１の部分１４０の信号を測定してよい。ある実施形態では、第１の回路５４０は高いインピーダンスを含んでいてよく、軸１１０の実質的に全ての電流が第２の部分１６０を通って流れてよい。第２のケーブル２６０が第２の部分１６０に接続されていてよい。第２のケーブル２６０は、軸１１０の実質的に全ての電流を地面に流してよい。ある実施形態では、第１の回路５４０によって測定された、第１の部分１４０の信号は、第１の部分１４０の電圧または第１の部分１４０を通って流れる電流を含んでいてよい。
【００２３】
汚れまたは油による半導電性フィルム層が時折、軸１１０と、ブラシ軸接地アセンブリ３００のブラシ３４０との間、または、ブレード軸接地アセンブリ４００のブレード４４０との間に形成されることがある。このフィルム層の抵抗は例えば、約２０オームであってよい。第１のケーブル２４０の抵抗は例えば、約１オームであってよい。ある実施形態では、第１の回路５４０のインピーダンスは、軸１１０の極めて少量の電流だけが、第１の部分１４０を通って流れるのに十分に高くてよい。ある実施形態では、第１の回路５４０のインピーダンスは、少なくとも、数千オームのオーダーにあってよい、または、少なくとも数メガオームのオーダーにあってよい。例えば、第１の回路５４０のインピーダンスは、約２メガオームであってよい。第１の回路５４０の高いインピーダンスは、軸１１０の実質的に全ての電流が、第２の部分１６０を通って流れ得る、という結果になってよい。軸１１０とブラシ３４０またはブレード４４０との間のフィルム層と、ブラシ３４０またはブレード４４０と、第１のケーブル２４０とにわたって低下する電圧は、実質上はゼロであってよく、例えば、数マイクロボルトのオーダーにあってよい、または、数ミリボルトのオーダーにあってよい。第１の回路５４０は、軸１１０の正確な信号を測定してよい。軸１１０の実質的に全ての電流は、第２のケーブル２６０を介して、地面に搬送されてよい。
【００２４】
ある実施形態では、第１の回路５４０は、第１の部分１４０の測定された信号をベースにして、警告信号を形成してよい。第１の部分１４０の測定された信号が、所定の範囲内にない場合、警告信号が形成されてよい。この範囲は、電力生成装置の状態または軸１１０の状態に適合するために、事前に定められてよい。ある実施形態では、警告信号を形成するための範囲は、ボルトの何分の１かのオーダーにあってよい、または、ボルトのオーダーにあってよい。警告信号は、軸１１０が、最適な接地ポテンシャルで動作していないかもしれない、ということを示してよい。これは、ベアリングまたはコンポーネント機能障害への重大なダメージを結果としてもたらし得る。軸接地装置１００のメンテナンスは、このようなダメージを回避するために必要であり得る。メンテナンスは、軸１１０とブラシ軸接地アセンブリ３００またはブレード軸接地アセンブリ４００との間に形成されるフィルム層を除去するための、軸１１０のクリーニングを含んでいてよい。メンテナンスは、軸接地アセンブリ３００のブラシ３４０またはブレード軸接地アセンブリ４００のブレード４４０の交換を含んでいてよい。
【００２５】
ある実施形態では、第１の回路５４０は、電圧計または電流計を含んでいてよい。電圧計または電流計は、デジタルディスプレイを含んでいてよい。
【００２６】
図５は、ある実施形態に即した軸接地システム６００の概略図を示している。軸接地システム６００は、ブラシ軸接地アセンブリ３００を含んでいてよい。ブラシ軸接地アセンブリ３００の実施形態は、図３に示された実施形態に相応していてよい。ブラシ軸接地アセンブリ３００の対応する部分に対応する番号が付けられているが、図５に関連して、これらが再度説明されることはない。
【００２７】
図５の実施例では、第１の回路５４０が、第１のケーブル２４０に接続されていてよい。第２の回路５６０が、第２のケーブル２６０に接続されていてよい。パネル６２０が、第１の回路５４０と第２の回路５６０とに接続されていてよい。接地ケーブル２８０が、パネル６２０に接続されていてよい。接地ケーブル２８０が、接地点に取付けられていてよい。接地ケーブル２８０の取付けの前に、接地点は、油、さび、汚れ、塗料または他の異物がないようにクリーニングされるべきである。第１の回路５４０は、第１の部分１４０の信号を測定してよい。第２の回路５６０は、第２の部分１６０の信号を測定してよい。ある実施形態では、第１の回路５４０は高いインピーダンスを含んでいてよく、軸１１０の実質的に全ての電流は、第２の部分１６０を通って流れてよい。
【００２８】
ある実施形態では、第１の回路５４０または第２の回路５６０は、電圧計または電流計を含んでいてよい。電圧計または電流計は、デジタルディスプレイを含んでいてよい。第１の回路５４０によって測定される第１の部分１４０の信号は、第１の部分１４０の電圧または第１の部分１４０を通って流れる電流を含んでいてよい。第２の回路５６０によって測定される第２の部分１６０の信号は、第２の部分１６０の電圧または第２の部分１６０を通って流れる電流を含んでいてよい。
【００２９】
ある実施形態では、パネル６２０は、複数の電子機器を含んでいる回路基板であってよい。パネル６２０のサイズは小さくてよく、例えば手持サイズの台であってよい。パネル６２０は、プラスチック等の材料から成っていてよい。
【００３０】
パネル６２０は、ディスプレイ装置６２２を含んでいてよい。これは、第１の部分１４０または第２の部分１６０の測定された信号、または、第１の部分１４０の測定された信号と、第２の部分１６０の測定された信号との間の差を表示していてよい。ディスプレイ装置６２２は、デジタルディスプレイ装置、例えばＬＣＤ（ｌｉｑｕｉｄ  ｃｒｙｓｔａｌ  ｄｉｓｐｌａｙ）を含んでいてよい。
【００３１】
パネル６２０は、警告装置６２４を含んでいてよい。これは、第１の部分１４０または第２の部分１６０の測定された信号、または、第１の部分１４０の測定された信号と、第２の部分１６０の測定された信号との間の差に基づいて、警告信号を形成してよい。警告信号は、第１の部分１４０または第２の部分１６０の測定された信号、または、第１の部分１４０の測定された信号と、第２の部分１６０の測定された信号との間の差が、所定の範囲内にない場合に形成されてよい。この範囲が、ジェネレーターの状態または軸１１０の状態に適合するために、予め設定されていてよい。ある実施形態では、警告信号を形成するための範囲は、ボルトの何分の１かのオーダーにあってよい、または、ボルトのオーダーにあってよい。警告信号は、軸１１０が、最適な接地ポテンシャルで動作していないかもしれない、ということを示していてよい。これは、ベアリングまたはコンポーネント機能障害への重大なダメージを結果としてもたらし得る。軸接地装置１００のメンテナンスは、このようなダメージを回避するために、必要であり得る。メンテナンスは、軸１１０とブラシ軸接地アセンブリ３００またはブレード軸接地アセンブリ４００との間に形成されているフィルム層を除去するための軸１１０のクリーニングを含んでいてよい。メンテナンスは、軸接地アセンブリ３００のブラシ３４０またはブレード軸接地アセンブリ４００のブレード４４０の交換を含んでいてよい。警告装置６２４は、ＬＥＤ（ｌｉｇｈｔ−ｅｍｉｔｔｉｎｇ  ｄｉｏｄｅ）またはオーディオ警告装置を含んでいてよい。
【００３２】
パネル６２０は、入力装置６２６を含んでいてよい。入力装置６２６は、第１の部分１
４０または第２の部分１６０の測定された信号の所定の範囲、または、第１の部分１４０の測定された信号と第２の部分１６０の測定された信号との間の差の所定の範囲を入力するために、ユーザーによって使用されてよい。入力装置６２６が、警告感度を設定するために使用されてよい。これは例えば、低、中、高の警告である。例えば、低感度の警告は所定の範囲の４倍に設定されていてよく、中感度の警告は所定の範囲の３倍に設定されていてよく、高感度の警告は所定の範囲の２倍に設定されていてよい。入力装置６２６は、設定ボタンを含んでいてよい。
【００３３】
ある実施形態では、軸接地システム６００は、Ｉ／Ｏ（インプット／アウトプット）インタフェース６４０を含んでいてよい。Ｉ／Ｏインタフェース６４０は、パネル６２０とコントロールシステム６６０との間に接続されていてよい。コントロールシステム６６０は、発電所敷地でのタービン発電機の動作をコントロールする中央コントロールシステムであってよい。Ｉ／Ｏインタフェース６４０は、アナログ信号からデジタル信号へ、または、デジタル信号からアナログ信号へ、信号を変換してよい。Ｉ／Ｏインタフェース６４０は、パネル６２０とコントロールシステム６６０との間で信号を伝達してよい。コントロールシステム６６０は、パネル６２０からの信号を表示してよい。コントロールシステム６６０は、パネル６２０から信号の履歴を格納してよい。コントロールシステム６６０は、命令を、パネル６２０に送信してよい。
【００３４】
図６は、ある実施形態に即した軸接地システム６００の概略図を示している。この軸接地システム６００は、ブレード軸接地アセンブリ４００を含んでいてよい。ブレード軸接地アセンブリ４００の実施形態は、図４に示された実施形態に相応していてよい。図６の実施形態は、他の点では、図５の実施形態に相応する。図６の対応する部分に対応する番号が付けられているが、図６に関連して、これらが再度説明されることはない。
【００３５】
ある実施形態では、図示された軸接地装置１００と軸接地システム６００とは、分割された軸接地アセンブリを使用した連続した軸接地モニターを提供する。分割された軸接地アセンブリは、既存のホルダーまたは既存のリギングまたは既存の取付けスタッドに適合するように、標準の軸接地システム内に設置されてよい。分割された軸接地アセンブリは、付加的なブラシまたは測定ポイントを必要としない。分割された軸接地アセンブリの設置は、安全かつ容易である。これは通常のメンテナンスの間に設定されてよい。開示された発明は、軸接地に対する、実際の状態をベースにしたメンテナンスを可能にする。
【００３６】
ある実施形態では、分割された軸接地アセンブリを有する、図示された軸接地装置１００および軸接地システム６００は、測定回路の高いインピーダンスによって正確な軸電圧測定を提供する。図示された、軸接地装置１００と軸接地システム６００は、ごく僅かな電子機器を必要とする。この電子機器は、低コスト回路基板であってよい。この電子機器は、ごく僅かな電力供給を必要とする。電力は、バッテリーによって、または、軸電圧自体によって、または、コントロールシステムからのウエット電圧（ｗｅｔｔｉｎｇ  ｖｏｌｔａｇｅ）によって供給されてよい。開示された発明は、低いコストでの、継続的な軸接地モニタリングを可能にする。継続的な軸接地モニタリングは、ベアリングへの重大なダメージが生じる前に、潜在的な機能不全を警告する。
【００３７】
この明細書において、本発明の教示を具体化する種々の実施形態を示し、詳細に説明したが、当業者は、依然としてこれらの教示を具体化する多くの他の種々の実施形態を容易に考案することができる。本発明は、その適用において、構造の例示的に具体化された詳細および明細書に記載された、または、図面に示されたコンポーネントの配置に制限されない。本発明は、他の実施形態でも実現可能であり、種々の方法で実施または実現可能である。また、この明細書において使用されている言葉遣いおよび用語は、説明のためのものであり、制限とみなされるべきではない、ということを理解されたい。「含む」、「含んでいる」または「有している」およびこれらの変化形の使用は、本明細書では、その後に挙げられている項目およびその同等のもの並びに付加的な項目を包むことを意味する。その他の特定または制限がなければ、用語「取付けられている」、「接続されている」、「支持されている」および「結合されている」およびそれらの変化形は、幅広く使用されており、直接的および間接的な取付け、接続、支持および結合を含んでいる。さらに「接続されている」と「結合されている」とは、物理的または機械的な接続または結合に制限されない。
【符号の説明】
【００３８】
１００  軸接地装置、  １１０  軸、  １２０  絶縁層、  １４０  軸接地アセンブリの第１の部分、  １６０  軸接地アセンブリの第２の部分、  ２４０  第１のケーブル、  ２６０  第２のケーブル、  ２８０  接地ケーブル、  ３００  ブラシ軸接地アセンブリ、  ３２０  ブラシホルダー、  ３４０  ブラシ、  ４００  ブレード軸接地アセンブリ、  ４２０  ブレード軸接地アセンブリのサポート、  ４４０  ブレード軸接地アセンブリのブレード、  ５４０  第１の回路、  ５６０  第２の回路、  ６００  軸接地システム、  ６２０  パネル、  ６２２  ディスプレイ装置、  ６２４  警告装置、  ６２６  入力装置、  ６４０  Ｉ／Ｏインタフェース、  ６６０  コントロールシステム
【図１】
2018014882.tif 000003
【図２】
2018014882.tif 000004
【図３】
2018014882.tif 000005
【図４】
2018014882.tif 000006
【図５】
2018014882.tif 000007
【図６】
2018014882.tif 000008